(57)【特許請求の範囲】
【請求項１】
画像処理装置及び可搬型情報処理端末を含み、前記画像処理装置において取得された画像情報を配信する配信システムであって、
前記可搬型情報処理端末が有する記憶部において、ユーザにより入力されたユーザ識別情報を登録する、前記可搬型情報処理端末が有するユーザ情報記憶部と、
前記可搬型情報処理端末に記憶された前記ユーザ識別情報を利用せずに、前記ユーザにより入力されたログイン情報に対する認証結果に基づいて、前記画像処理装置のログイン処理を行う、前記画像処理装置が有する認証処理部と、
前記画像処理装置との間で無線通信による情報の送受信が可能な可搬型情報処理端末と無線通信を行う、前記画像処理装置が有する入出力制御部と、
無線通信を介して前記画像処理装置と通信した前記可搬型情報処理端末が有する前記ユーザ情報記憶部に登録されているユーザ識別情報と、前記ユーザにより入力されたログイン情報とが一致するか否かを確認する、前記画像処理装置及び前記可搬型情報処理端末のうちの少なくとも一方が有する確認部と、
前記確認部により一致すると確認された場合に、当該可搬型情報処理端末を前記画像情報の配信対象として決定する、前記画像処理装置が有する配信対象決定部と、
前記可搬型情報処理端末へ配信するべき画像情報を取得する、前記画像処理装置が有する画像情報取得部と、
取得された前記画像情報を、配信対象として決定された前記可搬型情報処理端末に配信されるように処理する、前記画像処理装置が有する画像配信処理部とを含むことを特徴とする画像情報の配信システム。
【請求項２】
前記画像配信処理部は、前記画像処理装置において取得された前記画像情報を無線通信を介して前記可搬型情報処理端末に送信することを特徴とする請求項１に記載の画像情報の配信システム。
【請求項３】
前記配信対象決定部は、配信対象の前記可搬型情報処理端末に対してネットワークを介して情報を格納するためのアドレスの情報を、無線通信を介して当該可搬型情報処理端末から取得し、
前記画像情報取得部は、画像処理を実行する画像処理サーバにおいて前記画像処理装置からネットワークを介して受信した情報に基づいて画像処理を実行することにより前記可搬型情報処理端末へ配信するべき画像情報を取得し、
前記画像配信処理部は、前記画像処理サーバにおいて取得された画像情報を、配信対象として決定された前記可搬型情報処理端末から取得した前記アドレスの情報に基づいてネットワークを介して前記可搬型情報処理端末に送信することを特徴とする請求項１に記載の画像情報の配信システム。
【請求項４】
前記画像情報取得部は、取得された前記画像情報を、ネットワークを介してアクセス可能な記憶媒体に格納すると共に、前記記憶媒体に対してネットワークを介してアクセスするためのアクセス情報を出力し、
前記画像配信処理部は、前記アクセス情報を前記無線通信を介して配信対象として決定された前記可搬型情報処理端末に通知することにより、取得された前記画像情報が配信対象として決定された前記可搬型情報処理端末に配信されるように処理することを特徴とする請求項１に記載の画像情報の配信システム。
【請求項５】
前記配信対象決定部は、前記配信対象として決定された前記可搬型情報処理端末から、当該可搬型情報処理端末の所有者のメールアドレスを前記無線通信を介して取得し、
前記画像配信処理部は、取得された前記画像情報を、前記メールアドレスを送信先として設定した電子メールに添付して送信することにより、取得された前記画像情報が添付された当該電子メールが、配信対象として決定された前記可搬型情報処理端末に配信されるように処理することを特徴とする請求項１に記載の画像情報の配信システム。
【請求項６】
画像処理装置及び可搬型情報処理端末を含み、前記画像処理装置において取得された画像情報を配信する配信システムにおける制御方法であって、
前記可搬型情報処理端末において、前記可搬型情報処理端末が有するユーザ情報記憶部にユーザにより入力されたユーザ識別情報を登録する登録ステップと、
前記画像処理装置において、前記可搬型情報処理端末に記憶された前記ユーザ識別情報を利用せずに、前記ユーザにより入力されたログイン情報に対する認証結果に基づいて、ログイン処理を行う認証処理ステップと、
前記画像処理装置において、前記画像処理装置との間で無線通信による情報の送受信が可能な可搬型情報処理端末と無線通信を行う通信ステップと、
前記画像処理装置及び前記可搬型情報処理端末のうちの少なくとも一方において、前記無線通信を介して前記画像処理装置と通信可能な前記可搬型情報処理端末において前記ユーザ情報記憶部に登録されているユーザ識別情報と、前記ユーザにより入力されたログイン情報とが一致するか否かを確認する確認ステップと、
前記ユーザ識別情報と前記ログイン情報とが一致すると前記確認ステップにより確認された場合に、前記画像処理装置において、当該可搬型情報処理端末を前記画像情報の配信対象として決定する決定ステップと、
前記画像処理装置において、前記可搬型情報処理端末へ配信するべき画像情報を取得する取得ステップと、
前記画像処理装置において、取得した前記画像情報を、配信対象として決定された前記可搬型情報処理端末に配信されるように処理する配信処理ステップと、を有することを特徴とする制御方法。
【請求項７】
前記画像処理装置において前記取得ステップにより取得された前記画像情報は、前記配信処理ステップにより無線通信を介して前記可搬型情報処理端末に送信することを特徴とする請求項６に記載の制御方法。
【請求項８】
前記通信ステップにおいて、配信対象の前記可搬型情報処理端末に対してネットワークを介して情報を格納するためのアドレスの情報を、無線通信を介して当該可搬型情報処理端末から前記画像処理装置が取得し、
画像処理を実行する画像処理サーバにおいて前記画像処理装置からネットワークを介して受信した情報に基づいて画像処理を実行することにより前記可搬型情報処理端末へ配信するべき画像情報を前記画像処理サーバが取得する画像処理ステップと、を更に有し、
前記画像処理サーバにおいて、前記画像処理サーバが前記画像処理ステップにより取得した画像情報を、前記決定ステップにより配信対象として決定された前記可搬型情報処理端末から前記通信ステップにより取得した前記アドレスの情報に基づいてネットワークを介して前記可搬型情報処理端末に送信する第２の配信処理ステップ、を前記配信処理ステップに代えて有することを特徴とする請求項６に記載の制御方法。
【請求項９】
画像処理を実行する画像処理サーバにおいて前記画像処理装置からネットワークを介して受信した情報に基づいて画像処理を実行することにより前記可搬型情報処理端末へ配信するべき画像情報を前記画像処理サーバが取得する画像処理ステップと、
前記画像処理サーバにおいて、前記画像処理ステップにより取得した前記画像情報を、ネットワークを介してアクセス可能な記憶媒体に格納すると共に、前記記憶媒体に対してネットワークを介してアクセスするためのアクセス情報を出力する出力ステップと、を更に有し、
前記画像処理装置において、前記出力ステップにより得られる前記アクセス情報を前記無線通信を介して配信対象として決定された前記可搬型情報処理端末に通知することにより、取得された前記画像情報が配信対象として決定された前記可搬型情報処理端末に配信されるように処理する第２の配信処理ステップ、を前記配信処理ステップに代えて有することを特徴とする請求項６に記載の制御方法。
【請求項１０】
前記通信ステップにおいて、前記決定ステップにより前記配信対象として決定された前記可搬型情報処理端末から、当該可搬型情報処理端末の所有者のメールアドレスを前記無線通信を介して前記画像処理装置が取得し、
画像処理を実行する画像処理サーバにおいて前記画像処理装置からネットワークを介して受信した情報に基づいて画像処理を実行することにより前記可搬型情報処理端末へ配信するべき画像情報を前記画像処理サーバが取得する画像処理ステップと、
前記画像処理サーバにおいて、前記画像処理ステップにより取得した前記画像情報を、前記通信ステップにより取得された前記メールアドレスを送信先として設定した電子メールに添付して送信することにより、取得させた前記画像情報が添付された当該電子メールが、配信対象として決定された前記可搬型情報処理端末に配信されるように処理する第２の配信処理ステップ、を前記配信処理ステップに代えて有することを特徴とする請求項６に記載の制御方法。
【請求項１１】
可搬型情報処理端末を含む画像情報の配信システムの構築に用いられる画像処理装置であって、
ユーザにより入力されたユーザ識別情報が登録されるユーザ情報記憶部を有する可搬型情報処理端末を利用せずに、前記ユーザにより入力されたログイン情報に対する認証結果に基づいて、前記画像処理装置のログイン処理を行う認証処理部と、
前記画像処理装置との間で無線通信による情報の送受信が可能な可搬型情報処理端末と無線通信を行う入出力制御部と、
前記無線通信を介して前記画像処理装置と通信可能な前記可搬型情報処理端末において前記ユーザ情報記憶部に登録されているユーザ識別情報と、前記ユーザにより入力されたログイン情報とが一致するか否かを確認する確認部と、
前記確認部により一致すると確認された場合に、当該可搬型情報処理端末を前記画像情報の配信対象として決定する配信対象決定部と、
前記可搬型情報処理端末へ配信するべき画像情報を取得する画像情報取得部と、
取得された前記画像情報を、配信対象として決定された前記可搬型情報処理端末に配信されるように処理する画像配信処理部とを含むことを特徴とする画像処理装置。
【請求項１２】
画像処理装置及び可搬型情報処理端末を含む画像情報の配信システムで前記画像処理装置として用いられる情報処理装置を制御する制御プログラムであって、
ユーザにより入力されたユーザ識別情報が登録されるユーザ情報記憶部を有する可搬型情報処理端末を利用せずに、前記ユーザにより入力されたログイン情報に対する認証結果に基づいて、前記画像処理装置のログイン処理を行うステップと、
前記画像処理装置との間で無線通信による情報の送受信が可能な可搬型情報処理端末と無線通信を行うステップと、
前記無線通信を介して前記画像処理装置と通信可能な前記可搬型情報処理端末において前記ユーザ情報記憶部に登録されているユーザ識別情報と、前記ユーザにより入力されたログイン情報とが一致するか否かを確認するステップと、
前記確認するステップにより一致すると確認された場合に、当該可搬型情報処理端末を前記画像情報の配信対象として決定するステップと、
前記可搬型情報処理端末へ配信するべき画像情報を取得するステップと、
取得された前記画像情報を、配信対象として決定された前記可搬型情報処理端末に配信されるように処理するステップとを前記情報処理装置に実行させることを特徴とする制御プログラム。
【発明の詳細な説明】
【技術分野】
【０００１】
本発明は、画像情報の配信システム、制御方法、画像処理装置及び制御プログラムに関し、特に、可搬型情報処理端末への画像情報の配信に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）として構成されることが多い。また、このように電子化された文書を文書管理サーバに蓄積して利用する文書管理システムが知られている。
【０００３】
このような文書管理システムにおいては、スキャナ機能と情報処理機能とを組み合わせることにより、スキャンによって生成された画像情報を、ネットワークを介してアクセス可能な記憶媒体に格納して、文書蓄積の効率化を図るスキャン配信機能が用いられている（例えば、特許文献１参照）。
【発明の概要】
【発明が解決しようとする課題】
【０００４】
従来のスキャン配信機能においては、スキャンによって生成される画像情報の配信先毎に、予め設定を登録しておく必要がある。これに対して、近年のモバイル機器の普及により、スキャン配信による画像情報の配信先としてタブレット端末等のモバイル機器を用いる場合が増加することが予想される。
【０００５】
ここで、携帯することが前提であるモバイル機器においては、外出先のＭＦＰを用いてスキャン配信を行うことも考えられる。そのような外出先のＭＦＰは頻繁に使用するものではなく、１回のみ使用することも考えられる。従って、このような場合にも配信先の設定を求めると、ユーザにとって操作負担となると共に、ＭＦＰ側においても不要な設定を記憶することとなる。
【０００６】
このような課題に対して、近年のモバイル機器にはＢｌｕｅｔｏｏｔｈ（登録商標）やＷｉＦｉ（Ｗｉｒｅｌｅｓｓ  Ｆｉｄｅｌｉｔｙ）等の近距離通信機能が搭載されているため、その機能を用いることによりモバイル機器へのスキャン配信を効率化することが考えられる。しかしながら、近距離通信機能を用いる場合、通信可能な範囲に複数の端末が存在する場合もあり、その場合の端末の選択やセキュリティの確保等が問題となる。
【０００７】
尚、このような課題は、スキャン配信の場合に限らず、ＭＦＰのような画像処理装置の内部に設けられた記憶媒体や外部に接続された記憶媒体に格納された画像情報を、ＭＦＰを操作することによってモバイル端末に配信する場合にも、同様に課題となり得る。
【０００８】
本発明は、このような課題を解決するためになされたものであり、セキュリティを保った上でモバイル端末への画像配信機能を効率化することを目的とする。
【課題を解決するための手段】
【０００９】
上記課題を解決するために、本発明の一態様は、画像処理装置及び可搬型情報処理端末を含み、前記画像処理装置において取得された画像情報を配信する配信システムであって、前記可搬型情報処理端末が有する記憶部において、ユーザにより入力されたユーザ識別情報を登録する、前記可搬型情報処理端末が有するユーザ情報記憶部と、前記可搬型情報処理端末に記憶された前記ユーザ識別情報を利用せずに、前記ユーザにより入力されたログイン情報に対する認証結果に基づいて、前記画像処理装置のログイン処理を行う、前記画像処理装置が有する認証処理部と、前記画像処理装置との間で無線通信による情報の送受信が可能な可搬型情報処理端末と無線通信を行う、前記画像処理装置が有する入出力制御部と、無線通信を介して前記画像処理装置と通信した前記可搬型情報処理端末が有する前記ユーザ情報記憶部に登録されているユーザ識別情報と、前記ユーザにより入力されたログイン情報とが一致するか否かを確認する、前記画像処理装置及び前記可搬型情報処理端末のうちの少なくとも一方が有する確認部と、前記確認部により一致すると確認された場合に、当該可搬型情報処理端末を前記画像情報の配信対象として決定する、前記画像処理装置が有する配信対象決定部と、前記可搬型情報処理端末へ配信するべき画像情報を取得する、前記画像処理装置が有する画像情報取得部と、取得された前記画像情報を、配信対象として決定された前記可搬型情報処理端末に配信されるように処理する、前記画像処理装置が有する画像配信処理部とを含むことを特徴とする。
【００１０】
また、本発明の他の態様は、画像処理装置及び可搬型情報処理端末を含み、前記画像処理装置において取得された画像情報を配信する配信システムにおける制御方法であって、前記可搬型情報処理端末において、前記可搬型情報処理端末が有するユーザ情報記憶部にユーザにより入力されたユーザ識別情報を登録する登録ステップと、前記画像処理装置において、前記可搬型情報処理端末に記憶された前記ユーザ識別情報を利用せずに、前記ユーザにより入力されたログイン情報に対する認証結果に基づいて、ログイン処理を行う認証処理ステップと、前記画像処理装置において、前記画像処理装置との間で無線通信による情報の送受信が可能な可搬型情報処理端末と無線通信を行う通信ステップと、前記画像処理装置及び前記可搬型情報処理端末のうちの少なくとも一方において、前記無線通信を介して前記画像処理装置と通信可能な前記可搬型情報処理端末において前記ユーザ情報記憶部に登録されているユーザ識別情報と、前記ユーザにより入力されたログイン情報とが一致するか否かを確認する確認ステップと、前記ユーザ識別情報と前記ログイン情報とが一致すると前記確認ステップにより確認された場合に、前記画像処理装置において、当該可搬型情報処理端末を前記画像情報の配信対象として決定する決定ステップと、前記画像処理装置において、前記可搬型情報処理端末へ配信するべき画像情報を取得する取得ステップと、前記画像処理装置において、取得した前記画像情報を、配信対象として決定された前記可搬型情報処理端末に配信されるように処理する配信処理ステップと、を有することを特徴とする。
【００１１】
また、本発明の他の態様は、可搬型情報処理端末を含む画像情報の配信システムの構築に用いられる画像処理装置であって、ユーザにより入力されたユーザ識別情報が登録されるユーザ情報記憶部を有する可搬型情報処理端末を利用せずに、前記ユーザにより入力されたログイン情報に対する認証結果に基づいて、前記画像処理装置のログイン処理を行う認証処理部と、前記画像処理装置との間で無線通信による情報の送受信が可能な可搬型情報処理端末と無線通信を行う入出力制御部と、前記無線通信を介して前記画像処理装置と通信可能な前記可搬型情報処理端末において前記ユーザ情報記憶部に登録されているユーザ識別情報と、前記ユーザにより入力されたログイン情報とが一致するか否かを確認する確認部と、前記確認部により一致すると確認された場合に、当該可搬型情報処理端末を前記画像情報の配信対象として決定する配信対象決定部と、前記可搬型情報処理端末へ配信するべき画像情報を取得する画像情報取得部と、取得された前記画像情報を、配信対象として決定された前記可搬型情報処理端末に配信されるように処理する画像配信処理部とを含むことを特徴とする。
また、本発明の更に他の態様は、画像処理装置及び可搬型情報処理端末を含む画像情報の配信システムで前記画像処理装置として用いられる情報処理装置を制御する制御プログラムであって、ユーザにより入力されたユーザ識別情報が登録されるユーザ情報記憶部を有する可搬型情報処理端末を利用せずに、前記ユーザにより入力されたログイン情報に対する認証結果に基づいて、前記画像処理装置のログイン処理を行うステップと、前記画像処理装置との間で無線通信による情報の送受信が可能な可搬型情報処理端末と無線通信を行うステップと、前記無線通信を介して前記画像処理装置と通信可能な前記可搬型情報処理端末において前記ユーザ情報記憶部に登録されているユーザ識別情報と、前記ユーザにより入力されたログイン情報とが一致するか否かを確認するステップと、前記確認するステップにより一致すると確認された場合に、当該可搬型情報処理端末を前記画像情報の配信対象として決定するステップと、前記可搬型情報処理端末へ配信するべき画像情報を取得するステップと、取得された前記画像情報を、配信対象として決定された前記可搬型情報処理端末に配信されるように処理するステップとを前記情報処理装置に実行させることを特徴とする。
【発明の効果】
【００１２】
本発明によれば、セキュリティを保った上でモバイル端末への画像配信機能を効率化することができる。
【図面の簡単な説明】
【００１３】
【図１】本発明の実施形態に係るスキャン配信システムの運用形態を示す図である。
【図２】本発明の実施形態に係る情報処理装置のハードウェア構成を模式的に示すブロック図である。
【図３】本発明の実施形態に係る画像処理装置の機能構成を示すブロック図である。
【図４】本発明の実施形態に係るクライアント端末の機能構成を示すブロック図である。
【図５】本発明の実施形態に係るスキャン配信動作を示すフローチャートである。
【図６】本発明の実施形態に係るスキャン配信動作の概要を示す図である。
【図７】本発明の実施形態に係るスキャン配信動作を示すシーケンス図である。
【図８】本発明の実施形態に係るスキャン配信動作の概要を示す図である。
【図９】本発明の実施形態に係るスキャン配信動作を示すシーケンス図である。
【図１０】本発明の実施形態に係るスキャン配信動作の概要を示す図である。
【図１１】本発明の実施形態に係るスキャン配信動作を示すシーケンス図である。
【図１２】本発明の実施形態に係るスキャン配信動作の概要を示す図である。
【図１３】本発明の実施形態に係るスキャン配信動作を示すシーケンス図である。
【発明を実施するための形態】
【００１４】
以下、図面を参照して、本発明の実施形態を詳細に説明する。図１は、本実施の形態に係るスキャン配信システムの運用形態の例を示す図である。図１に示すように、本実施形態に係るスキャン配信システムは、画像処理装置１、クライアント端末２、文書管理サーバ３、ログインサーバ４及びメールサーバ５が、インターネットやＬＡＮ（Ｌｏｃａｌ  Ａｒｅａ  Ｎｅｔｗｏｒｋ）等のネットワークを介して接続されて構成される。
【００１５】
画像処理装置１は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。クライアント端末２は、本実施形態に係るスキャン配信システムを利用するユーザが携帯して使用する情報処理端末である。本実施形態に係るスキャン配信システムは、画像処理装置１においてスキャンされて生成された画像情報を、モバイル端末であるクライアント端末２が取得するまでの機能を提供する。
【００１６】
画像処理サーバ３は、ネットワークを介して画像処理機能を提供する。即ち、画像処理サーバ３は、ネットワークを介して受信した画像情報に対して所定の画像処理を実行する。ログインサーバ４は、本実施形態に係るスキャン配信システムを利用するユーザの認証処理を行う。メールサーバ５は、本実施形態に係るスキャン配信システムを利用するユーザのメールアカウントを提供しているサーバである。
【００１７】
このようなシステム構成において、クライアント端末２と画像処理装置１とが近距離無線通信を行ってユーザ情報やパスワードなどのログインに関する情報を交換することにより、クライアント端末２へのスキャン配信を効率化すると共に、その際のセキュリティを向上することが本実施形態に係る要旨の１つである。次に、本実施形態に係るスキャン配信システムに含まれる夫々の機器である情報処理装置のハードウェア構成について説明する。図２は、本実施形態に係る情報処理装置のハードウェア構成を示すブロック図である。
【００１８】
図２に示すように、本実施形態に係る情報処理装置は、一般的なサーバやＰＣ等と同様の構成を含む。即ち、本実施形態に係る文書管理装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。この他、画像処理装置１の場合、画像形成出力やスキャンを実行するエンジンが含まれる。
【００１９】
ＣＰＵ１０は演算手段であり、情報処理装置全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００２０】
Ｉ／Ｆ５０は、バス８０と各種のハードウェアやネットワーク等を接続し制御する。ＬＣＤ６０は、ユーザが情報処理装置の状態を確認するための視覚的ユーザインタフェースである。操作部７０は、キーボードやマウス等、ユーザが情報処理装置に情報を入力するためのユーザインタフェースである。尚、画像処理サーバ３、ログインサーバ４、メールサーバ５は、サーバとして運用されるため、ＬＣＤ６０や操作部７０等のユーザインタフェースは省略可能である。
【００２１】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０がそれらのプログラムに従って演算を行うことによりソフトウェア制御部が構成される。このようにして構成されたソフトウェア制御部と、ハードウェアとの組み合わせによって、本実施形態に係るスキャン配信システムを構成する各機器の機能を実現する機能ブロックが構成される。
【００２２】
次に、本実施形態に係る画像処理装置１の機能について説明する。図３は、本実施形態に係る画像処理装置１の機能構成を示すブロック図である。図３に示すように、本実施形態に係る画像処理装置１は、コントローラ１００、ＡＤＦ（Ａｕｔｏ  Ｄｏｃｕｍｅｎｎｔ  Ｆｅｅｄｅｒ：原稿自動搬送装置）１１０、スキャナユニット１２０、排紙トレイ１３０、ディスプレイパネル１４０、給紙テーブル１５０、プリントエンジン１６０、排紙トレイ１７０、ネットワークＩ／Ｆ１８０及び近距離通信Ｉ／Ｆ１９０を有する。
【００２３】
また、コントローラ１００は、主制御部１０１、エンジン制御部１０２、入出力制御部１０３、画像処理部１０４及び操作表示制御部１０５を有する。図３に示すように、本実施形態に係る画像処理装置１は、スキャナユニット１２０、プリントエンジン１６０を有する複合機として構成されている。尚、図６においては、電気的接続を実線の矢印で示しており、用紙若しくは文書束の流れを破線の矢印で示している。
【００２４】
ディスプレイパネル１４０は、画像処理装置１の状態を視覚的に表示する出力インタフェースであると共に、タッチパネルとしてユーザが画像処理装置１を直接操作し若しくは画像処理装置１に対して情報を入力する際の入力インタフェース（操作部）でもある。ネットワークＩ／Ｆ１８０は、画像処理装置１がネットワークを介して管理者用端末等の他の機器と通信するためのインタフェースであり、Ｅｔｈｅｒｎｅｔ（登録商標）やＵＳＢインタフェースが用いられる。
【００２５】
近距離通信Ｉ／Ｆ１９０は、画像処理装置１が近距離無線通信により他の機器と通信するためのインタフェースであり、Ｂｌｕｅｔｏｏｔｈ（登録商標）、ＷｉＦｉ（Ｗｉｒｅｌｅｓｓ  Ｆｉｄｅｌｉｔｙ）、ＦｅｌｉＣａ（登録商標）等のインタフェースが用いられる。この近距離通信Ｉ／Ｆ１９０を介してクライアント端末２との間でログイン情報をやり取りすることが本実施形態に係る要旨の１つである。
【００２６】
コントローラ１００は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされ、それらのプログラムに従ってＣＰＵ１０が演算を行うことにより構成されるソフトウェア制御部と集積回路などのハードウェアとによってコントローラ１００が構成される。コントローラ１００は、画像処理装置１全体を制御する制御部として機能する。
【００２７】
主制御部１０１は、コントローラ１００に含まれる各部を制御する役割を担い、コントローラ１００の各部に命令を与える。エンジン制御部１０２は、プリントエンジン１６０やスキャナユニット１２０等を制御若しくは駆動する駆動手段としての役割を担う。入出力制御部１０３は、ネットワークＩ／Ｆ１８０、近距離通信Ｉ／Ｆ１９０を介して入力される信号や命令を主制御部１０１に入力する。また、主制御部１０１は、入出力制御部１０３を制御し、ネットワークＩ／Ｆ１８０や近距離通信Ｉ／Ｆ１９０及びネットワークを介して他の装置にアクセスする。
【００２８】
画像処理部１０４は、主制御部１０１の制御に従い、印刷出力すべき画像情報に基づいて描画情報を生成する。この描画情報とは、画像形成部であるプリントエンジン１６０が画像形成動作において形成すべき画像を描画するための情報である。また、画像処理部１０４は、スキャナユニット１２０から入力される撮像データを処理し、画像データを生成する。この画像データとは、スキャナ動作の結果物として画像処理装置１に格納され若しくはネットワークＩ／Ｆ１８０や近距離通信Ｉ／Ｆ１９０を介して他の機器に送信される情報である。操作表示制御部１０５は、ディスプレイパネル１４０に情報表示を行い若しくはディスプレイパネル１４０を介して入力された情報を主制御部１０１に通知する。
【００２９】
画像処理装置１を利用する際、ユーザはディスプレイパネル１４０を介してログイン情報を入力することによりログイン処理を行う。ここで入力されるログイン情報とは、ユーザＩＤやパスワード等である。尚、ディスプレイパネル１４０を操作してログイン情報を入力する場合の他、ＩＣ（Ｉｎｔｅｇｒａｔｅｄ Ｃｉｒｃｕｉｔ）カードに格納されている情報をＮＦＣ（Ｎｅａｒ  Ｆｉｅｌｄ  Ｃｏｍｍｕｎｉｃａｔｉｏｎ）を介して読み取らせる態様も考えられる。この場合、近距離通信Ｉ／Ｆ１９０としてＦｅｌｉｃａ（登録商標）のインタフェースが用いられていれば、そのインタフェースにより社員証などのＩＤカードを読み取らせることによってログイン情報を入力することが可能である。ログイン情報が入力されると、画像処理装置１においては、主制御部１０１がネットワークを介してログインサーバ４と通信を行い、入力されたログイン情報の正当性を確認することによりログイン処理を行う。
【００３０】
画像処理装置１がプリンタとして動作する場合は、まず、入出力制御部１０３がネットワークＩ／Ｆ１８０を介して印刷ジョブを受信する。入出力制御部１０３は、受信した印刷ジョブを主制御部１０１に転送する。主制御部１０１は、印刷ジョブを受信すると、画像処理部１０４を制御して印刷ジョブに含まれる文書情報若しくは画像情報に基づいて描画情報を生成する。画像処理部１０４によって描画情報が生成されると、エンジン制御部１０２は、生成された描画情報に基づき、給紙テーブル１５０から搬送される用紙に対して画像形成を実行する。プリントエンジン１６０の具体的態様としては、インクジェット方式による画像形成機構や電子写真方式による画像形成機構等を用いることが可能である。プリントエンジン１６０によって画像形成が施された文書は排紙トレイ１７０に排紙される。
【００３１】
画像処理装置１がスキャナとして動作する場合は、ユーザによるディスプレイパネル１４０の操作若しくはネットワークＩ／Ｆ１８０を介して外部の機器から入力されるスキャン実行指示に応じて、操作表示制御部１０５若しくは入出力制御部１０３が主制御部１０１にスキャン実行信号を転送する。主制御部１０１は、受信したスキャン実行信号に基づき、エンジン制御部１０２を制御する。エンジン制御部１０２は、ＡＤＦ１１０を駆動し、ＡＤＦ１１０にセットされた撮像対象原稿をスキャナユニット１２０に搬送する。また、エンジン制御部１０２は、スキャナユニット１２０を駆動し、ＡＤＦ１１０から搬送される原稿を撮像する。また、ＡＤＦ１１０に原稿がセットされておらず、スキャナユニット１２０に直接原稿がセットされた場合、スキャナユニット１２０は、エンジン制御部１０２の制御に従い、セットされた原稿を撮像する。即ち、スキャナユニット１２０が撮像部として動作する。
【００３２】
撮像動作においては、スキャナユニット１２０に含まれるＣＣＤ等の撮像素子が原稿を光学的に走査し、光学情報に基づいた撮像情報が生成される。エンジン制御部１０２は、スキャナユニット１２０が生成した撮像情報を画像処理部１０４に転送する。画像処理部１０４は、主制御部１０１の制御に従い、エンジン制御部１０２から受信した撮像情報に基づき画像情報を生成する。画像処理部１０４が生成した画像情報はＨＤＤ４０等の画像処理装置１に装着された記憶媒体に保存される。画像処理部１０４によって生成された画像情報は、ユーザの指示に応じてそのままＨＤＤ４０等に格納され若しくはネットワークＩ／Ｆ１８０、近距離通信Ｉ／Ｆ１９０を介して、入出力制御部１０３により外部の装置に送信される。
【００３３】
また、画像処理装置１が複写機として動作する場合は、エンジン制御部１０２がスキャナユニット１２０から受信した撮像情報若しくは画像処理部１０４が生成した画像情報に基づき、画像処理部１０４が描画情報を生成する。その描画情報に基づいてプリンタ動作の場合と同様に、エンジン制御部１０２がプリントエンジン１６０を駆動する。
【００３４】
次に、本実施形態に係るクライアント端末２の機能構成について、図４を参照して説明する。図４に示すように、本実施形態に係るクライアント端末２は、図２において説明したＬＣＤ６０、操作部７０に加えて、コントローラ２００、ネットワークＩ／Ｆ２１０及び近距離通信Ｉ／Ｆ２２０を含む。また、コントローラ２００は、ネットワーク制御部２０１、操作制御部２０２、表示制御部２０３、近距離通信制御部２０４、クライアントアプリケーション２０５及びユーザ情報記憶部２０６を含む。
【００３５】
ネットワークＩ／Ｆ２１０は、クライアント端末２がネットワークを介して他の機器と通信するためのインタフェースであり、Ｅｔｈｅｒｎｅｔ（登録商標）等のインタフェースが用いられる。近距離通信Ｉ／Ｆ２２０は、クライアント端末２が近距離無線通信により他の機器と通信するためのインタフェースであり、Ｂｌｕｅｔｏｏｔｈ（登録商標）、ＷｉＦｉ（Ｗｉｒｅｌｅｓｓ  Ｆｉｄｅｌｉｔｙ）、ＦｅｌｉＣａ（登録商標）等のインタフェースが用いられる。ネットワークＩ／Ｆ２１０、近距離通信Ｉ／Ｆ２２０は、図２に示すＩ／Ｆ５０によって実現される。
【００３６】
コントローラ２００は、ソフトウェアとハードウェアとの組み合わせによって構成される。コントローラ２００は、クライアント端末２全体を制御する制御部である。ネットワーク制御部２０１は、ネットワークＩ／Ｆ２１０を介して入力される情報を取得すると共に、ネットワークＩ／Ｆ２１０を介して他の機器に情報を送信する。近距離通信制御部２０４は、近距離通信Ｉ／Ｆ２２０を介して入力される情報を取得すると共に、近距離通信Ｉ／Ｆ２２０を介して他の機器に情報を送信する。
【００３７】
操作制御部２０２は、操作部７０に対するユーザによる操作内容の信号を取得し、クライアントアプリケーション２０４等のクライアント端末２において動作するモジュールに入力する。表示制御部２０３は、クライアントアプリケーション２０５のＧＵＩ（Ｇｒａｐｈｉｃａｌ  Ｕｓｅｒ  Ｉｎｔｅｒｆａｃｅ）等、クライアント端末２の状態をＬＣＤ６０に表示させる。
【００３８】
クライアントアプリケーション２０５は、本実施形態に係るスキャン配信システムの機能をクライアント端末２において利用するために、クライアント端末２にインストールされて動作するソフトウェア・プログラムによって構成される。クライアントアプリケーション２０５は、近距離無線通信を介して画像処理装置１との間で情報をやり取りする機能を実現する。ユーザ情報記憶部２０６は、本実施形態に係るスキャン配信システムを利用するためのログイン情報を記憶している記憶部である。
【００３９】
ユーザ情報記憶部２０６に記憶されているログイン情報は、夫々のクライアント端末２の所有者毎のログイン情報であり、画像処理装置１を使用する際に画像処理装置１に入力するログイン情報に対応する情報である。ユーザ情報記憶部２０６に記憶されているログイン情報は、クライアント端末２の所有者であるユーザにより、予めクライアント端末２に入力されて登録されている。これにより、本実施形態に係るスキャン配信システムをクライアント端末２を用いて利用することが可能となる。
【００４０】
次に、本実施形態に係るスキャン配信システムの全体動作について図５を参照して説明する。図５に示すように、本実施形態に係る画像処理装置１は、先ずは、ユーザによって入力されたログイン情報に基づいてログインサーバ４と通信してログイン処理を行う（Ｓ５０１）。ログイン処理が完了すると、ユーザによるモバイル端末へのスキャン配信処理の実行操作に応じて、入出力制御部１０３が近距離通信Ｉ／Ｆ１９０を制御して通信可能なモバイル端末の検索を行う（Ｓ５０２）。
【００４１】
Ｓ５０２においては、画像処理装置１側の近距離通信Ｉ／Ｆ１９０が、近距離通信可能な機器を認識するためのポーリング信号を発信する。これに対して、クライアント端末２側の近距離通信Ｉ／Ｆ２２０が、画像処理装置１から発信されたポーリング信号を受信して、それに対する応答信号を発信する。画像処理装置１においては、入出力制御部１０３が近距離通信Ｉ／Ｆ１９０を介してこの応答信号を取得することにより、主制御部１０１がクライアント端末２を認識する。
【００４２】
Ｓ５０２の処理により近距離無線通信によって通信可能なモバイル端末が認識されると、入出力制御部１０３が、近距離通信Ｉ／Ｆ１９０を制御して、認識されたモバイル端末からログイン情報を取得し、Ｓ５０１において入力されたログイン情報との比較確認を行う（Ｓ５０３）。Ｓ５０３においては、クライアント端末２が、画像処理装置１からの要求に応じて、ユーザ情報記憶部２０６に記憶されているログイン情報を送信する。
【００４３】
画像処理装置１側においては、クライアント端末２からログイン情報を取得すると、主制御部１０１が、Ｓ５０１において入力されたログイン情報とＳ５０３において取得されたログイン情報との比較確認を行い、両者が一致するか否か、即ち、Ｓ５０１においてログインを行ったユーザと、近距離無線通信による検索によって認識されたクライアント端末２のユーザとが同一であるか否かを確認する。
【００４４】
Ｓ５０３の判断の結果、ログイン情報が一致すれば、画像処理装置１はクライアント端末２との間で通信を確立した上で、ユーザによってセットされた原稿のスキャンを実行し（Ｓ５０４）、スキャンによって生成された画像情報がクライアント端末２に配信されるように配信処理を行う（Ｓ５０５）。
【００４５】
このように、本実施形態に係るスキャン配信システムにおいては、近距離無線通信によってクライアント端末２のようなモバイル端末を認識することにより、モバイル端末へのスキャン結果の送信を容易化してユーザの利便性を向上している。この際、インターネットやＬＡＮ等のネットワークによって端末を検索すると、ネットワークに接続された多くの端末が抽出されるため、その中から端末を選択する必要があり、ユーザによって操作負担となる。
【００４６】
これに対して、Ｂｌｕｅｔｏｏｔｈ等の近距離無線通信によってモバイル端末を検索することにより、データの配信先を特定する段階において、ユーザがデータを取得するための意図を持って携帯している端末に絞り込むことができる。その結果、データの配信先を特定する際のユーザの操作負荷を軽減することができる。
【００４７】
また、その際に、画像処理装置１において、ログイン処理を行ったユーザと、近距離無線通信によって認識された端末の所有者とが一致することを確認するため、意図しない端末にスキャン結果が配信されてしまうようなことを防ぎ、セキュリティを向上することができる。
【００４８】
尚、図５の説明においては、画像処理装置１がクライアント端末２からログイン情報を取得し、画像処理装置１においてログイン情報が一致するか否かが確認される場合を例として説明した。この他、画像処理装置１がクライアント端末２に対して、Ｓ５０１において入力されたログイン情報を送信し、クライアント端末２においてログイン情報が一致するか否かを判断した上で、その判断結果が画像処理装置１に返信されるような態様も可能である。
【００４９】
また、図５の例においてはクライアント端末２との間でログイン情報が一致し、通信が確立する場合を説明したが、近距離無線通信による検索により、複数のモバイル端末が抽出される場合も有り得る。そのような場合、画像処理装置１側、モバイル端末側のいずれかにおけるログイン情報の一致確認により、ログイン情報が一致したモバイル端末との間で通信が確立される。
【００５０】
このような場合において、ログイン情報の一致が確認された後に、画像処理装置１側からモバイル端末に対して改めて通信の確立を要求しても良いし、上述したように、モバイル端末側でログイン情報の一致が確認された後にモバイル端末側から通信の確立を要求しても良い。
【００５１】
ここで、Ｓ５０５の配信処理は、配信の形態によって様々な処理が有り得る。以下、夫々の配信形態について説明する。図６は、画像処理装置１とクライアント端末２との間のみで情報がやり取りされる場合の動作概要を示す図である。図６の例においては、画像処理装置１においてユーザが操作を行い、ログイン情報の一致確認によって画像処理装置１とクライアント端末２との間で通信が確立され、画像処理装置１がスキャンを実行して生成した画像情報を、クライアント端末２に対して近距離無線通信を介して送信する。
【００５２】
図７は、図６の例における動作を示すシーケンス図である。図７に示すように、先ずは画像処理装置１がユーザによって入力されたログイン情報に基づいてログインサーバ４と通信を行うことによりログイン処理を行う（Ｓ７０１）。Ｓ７０１においては、主制御部１０１が、入力されたログイン情報に基づいて入出力制御部１０３を制御することにより、ログインサーバ４との通信を実行させて認証結果を取得する。即ち、主制御部１０１が、認証処理部として機能する。
【００５３】
次に、画像処理装置１は、モバイル端末へのスキャン配信を要求する画面操作を受け付けると（Ｓ７０２）、画像処理装置１が近距離通信Ｉ／Ｆ１９０を介して近距離無線通信可能なモバイル端末を検索し、抽出されたモバイル端末において登録されているログイン情報と認証処理において入力されたログイン情報との一致を確認することによって通信を確立する（Ｓ７０３）。Ｓ７０３においては、主制御部１０１が、入出力制御部１０３を制御することにより、近距離無線通信可能なモバイル端末の検索を実行させて検索結果を取得すると共に、ログイン情報の一致を確認して配信対象のモバイル端末を決定する。即ち、主制御部１０１が、配信対象検索部及び配信対象決定部として機能する。
【００５４】
ログイン情報が一致したクライアント端末２との間で通信を確立すると、画像処理装置１においては、エンジン制御部１０２がスキャナユニット１２０を制御し、セットされた原稿のスキャンを実行する（Ｓ７０４）。スキャンによって撮像情報が生成されると、画像処理装置１においては、その撮像情報に基づいて画像処理部１０４が画像処理を実行し（Ｓ７０５）、スキャン結果となる画像情報を生成する。Ｓ７０５においては、主制御部１０１の制御に従って画像処理部１０４が動作することにより画像情報が生成される。即ち、主制御部１０１が画像情報取得部として機能する。
【００５５】
画像処理によって画像情報が生成されると、画像処理装置１において、入出力制御部１０３が主制御部１０１の制御に従って近距離通信Ｉ／Ｆ１９０を制御し、生成された画像情報をクライアント端末２に送信する（Ｓ７０６）。即ち、主制御部１０１が画像配信処理部として機能する。これにより、クライアント端末２へのスキャン配信が完了する。図６、図７の例においては、画像処理装置１とクライアント端末２との近距離無線通信により、シンプルな構成でクライアント端末２へのスキャン配信を達成することが可能である。
【００５６】
図８は、画像処理装置１、クライアント端末２に加えて、画像処理を実行する画像処理サーバ３を介して情報がやり取りされる場合の動作概要を示す図である。図８の例においては、画像処理装置１とクライアント端末２との間で通信が確立された後、画像処理装置１は、クライアント端末２からスキャン結果のデータを格納する格納先のアドレスを取得した上でスキャンを実行する。
【００５７】
そして、画像処理装置１が、スキャンによって生成された情報を画像処理サーバ３に送信し、画像処理サーバ３が画像処理を実行して最終的なスキャン結果の画像情報を生成する。また、画像処理装置１は、クライアント端末２から取得したアドレスをスキャンによって生成された情報と共に画像処理サーバ３に送信しており、画像処理サーバ３は、最終的なスキャン結果の画像情報を生成すると、画像処理装置１から取得したアドレスに対して、生成した画像情報を送信する。これにより、クライアント端末２に対して、スキャン結果の画像情報が配信される。
【００５８】
図９は、図８の例における動作を示すシーケンス図である。図９に示すように、Ｓ９０１、Ｓ９０２は、図７と同様の処理が実行される。そして、モバイル端末へのスキャン配信を要求する画面操作を受け付けた画像処理装置１においては、入出力制御部１０３が近距離通信Ｉ／Ｆ１９０を介して近距離無線通信可能なモバイル端末を検索し、ログイン情報の一致を確認することによって通信を確立すると共に、クライアント端末２からスキャン結果のデータを格納する格納先のアドレスを取得する（Ｓ７０３）。このアドレスは、他の装置がネットワークを介してクライアント端末２にアクセスし、情報を格納するために用いるアドレスである。
【００５９】
その後、スキャンを実行すると（Ｓ９０４）、画像処理装置１において、入出力制御部１０３がネットワークＩ／Ｆ１８０を制御し、スキャンによって生成された撮像結果の情報を画像処理サーバ３に送信する（Ｓ９０５）。尚、画像処理サーバ３のネットワーク上のアドレスは、画像処理装置１において予め設定されて記憶されている。また、Ｓ９０５においては、撮像結果の情報に加えて、スキャン結果のデータを格納するためのクライアント端末２における格納先のアドレスも送信される。
【００６０】
画像処理装置１から撮像結果の情報を受信した画像処理サーバ３は、受信した撮像結果の情報に基づいて画像処理を実行することにより、最終的なスキャン結果の画像情報、即ち、スキャン配信によって配信される画像情報を生成する（Ｓ９０６）。即ち、Ｓ９０６においては、画像処理サーバ３に含まれる画像処理モジュールが画像情報取得部として機能する。
【００６１】
画像処理サーバ３は、画像情報を生成すると、撮像結果の情報と同時に受信したアドレスに対して、生成した画像情報御送信する（Ｓ９０７）。即ち、Ｓ９０７においては、画像処理サーバ３に含まれる情報の送受信モジュールが画像配信処理部として機能する。これにより、クライアント端末２においては、ネットワーク制御部２０１がネットワークＩ／Ｆ２１０を介してスキャン結果を受信し、クライアント端末２へのスキャン配信が完了する。
【００６２】
図８、図９に示す例において、画像処理機能を拡張する場合、様々な場所に設置されている画像処理装置１の機能を拡張するのではなく、複数の画像処理装置１から画像処理の依頼を受け付ける画像処理サーバ３の機能のみ拡張すれば良く、システム構成の効率化することが可能である。
【００６３】
図８、図９に示す例の場合、画像処理サーバ３とクライアント端末２との間にファイアウォール等のアクセス制限が設定されている場合や、画像処理サーバ３とクライアント端末２とが異なるＬＡＮに存在する場合、画像処理サーバ３からクライアント端末２に対して直接データを送信できない可能性がある。そのような場合、例えば、画像処理サーバ３が、画像処理装置１からの画像処理要求の応答として、生成したスキャン結果の画像情報を画像処理装置１に送信し、画像処理装置１が、図６、図７と同様に近距離無線通信によってクライアント端末２に画像情報を送信することにより可能である。また、画像処理サーバ３によって生成されてネットワーク上に保存された画像情報をクライアント端末２にダウンロードさせることによっても可能である。そのような場合の対応について、以下に説明する。
【００６４】
図１０は、図８と同様に、画像処理装置１、クライアント端末２に加えて、画像処理サーバ３を介して情報がやり取りされるが、画像処理サーバ３からクライアント端末２に対して直接データを送り込むことが困難な場合の態様を示す図である。図１０の例においては、画像処理サーバ３においてスキャン結果の画像情報が生成されるまでは図８と同様に処理が実行される。
【００６５】
画像処理サーバ３は、スキャン結果の画像情報を生成すると、画像処理サーバ３に接続された記憶媒体であってネットワークを介してアクセス可能な記憶媒体に画像情報を格納し、画像処理装置１からの画像処理要求に対する応答として、格納した画像情報の格納先、即ち、ネットワークを介してアクセスするためのアドレスを画像処理装置１に通知する。ここで言うネットワークを介したアクセスとは、ＨＴＴＰ（ＨｙｐｅｒＴｅｘｔ Ｔｒａｎｓｆｅｒ Ｐｒｏｔｏｃｏｌ）や、ＦＴＰ（Ｆｉｌｅ  Ｔｒａｎｓｆｅｒ  Ｐｒｏｔｏｃｏｌ）等のプロトコルによるアクセスが考えられる。即ち、画像処理サーバ３が、ＨＴＴＰサーバやＦＴＰサーバ等の機能を備える。画像処理装置１は近距離無線通信を介して、画像処理サーバ３から通知されたアドレスをクライアント端末２に通知する。
【００６６】
これにより、クライアント端末２は、画像処理装置１から通知されたアドレスに対してネットワークを介してアクセスすることにより、文書管理サーバ３に格納された画像情報をダウンロードする。これにより、クライアント端末２に対して、スキャン結果の画像情報が配信されることとなる。
【００６７】
図１１は、図１０の例における動作を示すシーケンス図である。図１１に示すように、Ｓ１１０１〜Ｓ１１０８までは、図９のＳ９０１〜Ｓ９０６までと同様の処理が実行される。Ｓ９０６の処理により画像情報を生成した画像処理サーバ３は、ネットワークを介してアクセス可能な記憶媒体にデータを格納し（Ｓ１１０７）、格納したデータに対してネットワークを介してアクセスするためのアドレスを、スキャン結果の格納先として画像処理装置１に通知する（Ｓ１１０８）。
【００６８】
スキャン結果の格納先を通知された画像処理装置１においては、入出力制御部１０３が、近距離通信Ｉ／Ｆ１９０を制御して、Ｓ１１０３において通信を確立したクライアント端末２に対して近距離無線通信により格納先を通知する（Ｓ１１０９）。近距離無線通信を介してスキャン結果の格納先を取得したクライアント端末２は、通知された格納先に対してネットワークＩ／Ｆ２１０を介してアクセスすることにより、スキャン結果の画像情報をダウンロードする（Ｓ１１１０）。これにより、クライアント端末２へのスキャン配信が完了する。即ち、図１１の例においては、画像処理装置１において近距離無線通信を介したクライアント端末２への格納先の通知処理を制御する主制御部１０１が、画像情報配信処理部として機能する。
【００６９】
このように、図１０、図１１の例においては、スキャン結果の画像情報を生成した画像処理サーバ３が、外部に対して公開されているネットワーク上の記憶領域にスキャン結果の画像情報を格納し、その情報にアクセスするためのアドレスを画像処理装置１を介してクライアント端末２に通知する。そして、クライアント端末２がそのアドレスにアクセスしてスキャン結果の画像情報をダウンロードして取得するため、ネットワーク環境により画像処理サーバ３がクライアント端末２に対して直接情報を送り込むことが困難である場合において、クライアント端末２に容易に画像情報を取得させることが可能となる。
【００７０】
尚、図１０、図１１においては、画像処理サーバ３内部にスキャン結果の画像情報が格納される場合を例として説明したが、画像処理サーバ３以外のファイルサーバ等に格納される場合も同様に適用可能である。また、電子メールのやりとりによっても同様に、モバイル端末へのスキャン配信機能を実現することが可能である。以下、そのような例について説明する。
【００７１】
図１２は、電子メールによってモバイル端末へのスキャン配信機能を実現する場合の動作概要を示す図である。図１２の例においては、画像処理サーバ３に加えて、メールサーバ５の機能が用いられる。図１２の例においては、画像処理サーバ３においてスキャン結果の画像情報が生成されるまでは図８と同様に処理が実行される。
【００７２】
ここで、画像処理装置１とクライアント端末２とが近距離無線通信を確立した後、画像処理装置１は、クライアント端末２の所有者であるユーザのメールアドレスの情報をクライアント端末２から取得する。そして、画像処理装置１は、画像処理サーバ３に対して画像処理要求を行う際に、クライアント端末２から取得したメールアドレスを同時に画像処理サーバ３に通知する。
【００７３】
画像処理サーバ３は、スキャン結果の画像情報を生成すると、画像処理装置１から通知されたメールアドレスに対して、電子メールの添付ファイルとして画像情報を送信する。これにより、画像情報が添付された電子メールは、メールサーバ５によって受信され、メールサーバ５の記憶媒体に格納される。その後、クライアント端末２が、予め設定されたメールアカウントの電子メールを任意のタイミングで受信することにより、電子メールに添付された画像情報を受信する。これにより、クライアント端末２に対して、スキャン結果の画像情報が配信されることとなる。
【００７４】
図１３は、図１２の例における動作を示すシーケンス図である。図１３に示すように、Ｓ１３０１〜Ｓ１３０６までは、図９のＳ９０１〜からＳ９０６までと同様の処理が実行される。但し、Ｓ１３０３において、画像処理装置１は、クライアント端末２との間に通信を確立した後、クライアント端末２の所有者の電子メールアドレスを取得する。尚、この電子メールアドレスは、通信の確立のために画像処理装置１とクライアント端末２との間でやりとりされるログイン情報の一部として含まれており、通信の確立と共に画像処理装置１において保存されるようにしても良い。
【００７５】
また、Ｓ１３０５において、画像処理装置１は、画像処理サーバ３への画像処理要求と共に、Ｓ１３０３において取得した電子メールアドレスを画像処理サーバ３に通知する。Ｓ１３０６の処理により画像情報を生成した画像処理サーバ３は、画像処理装置１から通知された電子メールアドレスに対して、生成した画像情報を添付ファイルとした電子メールを送信する（Ｓ１３０７）。即ち、図１３の例においては、画像処理サーバ３において電子メールの送信処理を制御するモジュールが、画像配信処理部として機能する。
【００７６】
そして、クライアント端末２が、任意のタイミングでメール受信処理を行うことにより（Ｓ１３０８）、スキャン結果の画像情報が添付ファイルとしてクライアント端末２に受信され、クライアント端末２へのスキャン配信処理が完了する。このように、ファイル転送機能に対応していない場合であっても、電子メールの送受信によってモバイル端末へのスキャン配信を実現することも可能である。
【００７７】
図１０、図１１の例と図１２、図１３の例とは、ＨＴＴＰやＦＴＰ等のプロトコルと、電子メールの送受信に関するプロトコルとの違いはあるが、クライアント端末２が、ネットワークを介してアクセス可能な記憶媒体にアクセスすることにより、そこに格納された画像情報を取得するという点に関して実質的な違いはない。
【００７８】
即ち、図１０、図１１の例においては、画像情報の格納先が画像処理装置１とクライアント端末２との間の近距離無線通信によってクライアント端末２に通知されることに対して、図１２、図１３の例においては、クライアント端末２側から通知されたメールアドレスに対応する記憶領域に画像情報が格納される点が異なるが、実質的なシステムの動作は同一である。
【００７９】
以上、説明したように、本実施形態に係るスキャン配信システムにおいては、セキュリティを保った上でモバイル端末への画像配信機能を効率化することが可能となる。
【００８０】
尚、本実施形態においては、スキャン配信を前提としてシステムの構成及び動作を説明した。しかしながら、スキャンは画像情報を生成するための手段に過ぎず、本実施形態に係る要旨はモバイル端末への画像情報の配信処理である。従って、画像処理装置１の機能によって画像処理装置１の内部または外部の記憶媒体に蓄積された画像情報をモバイル端末に配信する場合においても、上述したようにモバイル端末に設定されたログイン情報と画像処理装置１のログイン情報との一致を確認することにより、上記と同様の効果を得ることが可能である。
【符号の説明】
【００８１】
１  画像処理装置
２  クライアント端末
３  画像処理サーバ
４  ログインサーバ
５  メールサーバ
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  主制御部
１０２  エンジン制御部
１０３  入出力制御部
１０４  画像処理部
１０５  操作表示制御部
１１０  ＡＤＦ
１２０  スキャナユニット
１３０  排紙トレイ
１４０  ディスプレイパネル
１５０  給紙テーブル
１６０  プリントエンジン
１７０  排紙トレイ
１８０  ネットワークＩ／Ｆ
１９０  近距離通信Ｉ／Ｆ
２００  コントローラ
２０１  ネットワーク制御部
２０２  操作制御部
２０３  表示制御部
２０４  近距離通信制御部
２０５  クライアントアプリケーション
２０６  ユーザ情報記憶部
２１０  ネットワークＩ／Ｆ
２２０  近距離通信Ｉ／Ｆ
【先行技術文献】
【特許文献】
【００８２】
【特許文献１】特開２００２−７７１７７号公報
【図１】
0006035881.tif 000002
【図２】
0006035881.tif 000003
【図３】
0006035881.tif 000004
【図４】
0006035881.tif 000005
【図５】
0006035881.tif 000006
【図６】
0006035881.tif 000007
【図７】
0006035881.tif 000008
【図８】
0006035881.tif 000009
【図９】
0006035881.tif 000010
【図１０】
0006035881.tif 000011
【図１１】
0006035881.tif 000012
【図１２】
0006035881.tif 000013
【図１３】
0006035881.tif 000014